(57)【要約】      （修正有）【課題】合成ドアの改善された成形ドア外板を提供する。【解決手段】本成形ドア外板１０は交換可能なパネル３０が取り外し可能に取り付けられる凹部１５を有する。この交換可能なパネルを異なるパターンを有する別のパネルと交換することで、本成形ドア外板は多様性を有する。成形ドア外板は該凹部の周りを囲む受容溝１７を更に有する。この受容溝は装飾効果を有するバテン５０を受容し、様々なバテンと様々なおしゃれな交換可能パネルとの組合せは本成形ドア外板の装飾と美的価値を向上させうる。【選択図】図５
0003173690.tif 000002
【実用新案登録請求の範囲】
【請求項１】
交換可能なパネルが取り外し可能に取り付けられうる、合成ドアの改善された成形ドア外板であって、
１〜４ｍｍの厚さの成形ドア形状シートを含み、
該成形ドア形状シートは、該成形ドア形状シートの表面から窪んだ凹みとして形成された凹部を有することを特徴とする改善された成形ドア外板。
【請求項２】
前記凹部は正方形、長方形、円形、楕円形、半円形、ハート形、及び偏菱形からなるグループから選択された形状の輪郭を有する請求項１に記載の改善された成形ドア外板。
【請求項３】
前記凹部に取り付けられた交換可能なパネルを更に含む請求項１又は２に記載の改善された成形ドア外板。
【請求項４】
前記成形ドア形状シートは、前記凹部の周りを囲む受容溝を更に有する請求項３に記載の改善された成形ドア外板。
【請求項５】
前記受容溝に挿入される固定部を有する１つ以上のバテンを更に含む請求項４に記載の改善された成形ドア外板。
【請求項６】
保護スペーサーが、前記交換可能なパネルの周縁と前記バテンとの間に配置されている請求項５に記載の改善された成形ドア外板。
【考案の詳細な説明】
【技術分野】
【０００１】
本考案は、成形ドア外板、特に、合成ドア用の交換可能なパネルを含む成形ドア外板に関する。
【背景技術】
【０００２】
従来の合成ドア用成形ドア外板はＳＭＣ（Ｓｈｅｅｔ  Ｍｏｌｄｉｎｇ  Ｃｏｍｐｏｕｎｄ）プロセスにより厚さ僅か約１〜４ｍｍの単一体として成形される。
【０００３】
このような成形外板に芸術性とおしゃれ性を加えるために、装飾的効果を提供する１つ以上のパネルが通常、ＳＭＣプロセス中に成形ドア外板の表面上に形成される。しかし、厚みが限定されているので、成形ドア外板上に形成されるこれらのパネルの大多数は、パネルを囲む面と同じ高さを最大の高さとするへこんだパターンを有する。このような合成ドアの成形ドア外板は浮出しが不足しあまり立体的でないので、従来の成形合成ドアは装飾と美的価値が不足している。
【０００４】
また、従来の成形ドア外板上のパネルは一体形成され、従って交換可能でない。このことは成形ドア外板の装飾デザインをかなり制限する。
【考案の概要】
【考案が解決しようとする課題】
【０００５】
上記の問題に鑑みて、本考案は、合成ドア用の交換可能なパネルを含む成形ドア外板を提供する。
【課題を解決するための手段】
【０００６】
この成形ドア外板はＳＭＣプロセスにより１〜４ｍｍの厚さを有するドア形状に成形される。
【０００７】
凹部を有する該成形ドア外板は合成ドアの前又は後ドア外板となるよう構成され、多様なパターンを有する様々なスタイルの交換可能パネルを該成形ドア外板の凹部に取り付けて合成ドアを多様化できる。各交換可能パネルは、浮出した又は起伏のあるプロフィールを有するおしゃれな表面を有し、芸術性とおしゃれ性とスマートさを感じさせてもよい。交換可能パネルの交換により該成形ドア外板は変更可能な立体装飾効果を奏しうる。
【０００８】
該成形ドア外板の凹部は、該成形ドア外板の表面から窪んだ凹みを形成することで作られ、該凹部は正方形、長方形、円形、楕円形、半円形、ハート形、又は偏菱形の輪郭を有してもよい。
該成形ドア外板は、該凹部の周りを囲む受容溝を更に有する。この受容溝は装飾効果のある１つ以上のバテンを受容する。従って、様々なバテンと様々なおしゃれな交換可能パネルとの組合せは該成形ドア外板に芸術性とおしゃれ性を加えうる。
【０００９】
該バテンは、該成形ドア外板の受容溝に挿入されて係合し装飾効果のある該バテンを位置決めするよう構成された固定部を有する。
成形ドア外板は、該交換可能なパネルの周縁と該バテンとの間に配置され交換可能パネルの周縁を保護する保護スペーサーを更に有する。
【図面の簡単な説明】
【００１０】
【図１】凹部を有する本考案の成形ドア外板を示す概略図である。
【図２】図１の２‐２線に沿った成形ドア外板の部分拡大断面図である。
【図３】図１の３‐３線に沿った成形ドア外板の部分拡大断面図である。
【図４】交換可能パネルと１つ以上のバテンとが取り付けられた図１の成形ドア外板を示す。
【図５】図４の５‐５線に沿った交換可能パネルとバテンとが取り付けられた成形ドア外板の部分拡大断面図である。この図ではもう１つのバテンが取り付けられようとしている。
【考案を実施するための形態】
【００１１】
本考案の好適な態様と、更なる目的と利点は、添付の図面と実施形態の下記の詳細な説明を参照することで最も良く理解されるであろう。
【実施例】
【００１２】
図１〜図３を参照すると、本考案の成形ドア外板１０はＳＭＣプロセスにより厚さ１〜４ｍｍの成形ドア形状シートとして成形される。成形ドア外板１０は合成ドアの前又は後ドア外板となるよう構成されている。
【００１３】
成形ドア外板１０は凹部１５を有する。その長さ方向と幅方向の断面図をそれぞれ図２と図３に示す。図から分かるように、凹部１５は成形ドア外板１０の表面から窪んだ凹みとして形成される。
【００１４】
図４及び図５を参照すると、成形ドア外板１０の凹部１５は、その上に取り外し可能に取り付けられる交換可能パネル３０を受容するよう構成されている。本考案の成形ドア外板１０は、様々な交換可能パネル３０により様々な視覚効果を提供できる。また、交換可能パネル３０は、浮出した又は起伏のあるプロフィールを有するおしゃれな表面を有し、成形ドア外板１０に立体装飾効果を与えてもよい。
【００１５】
成形ドア外板１０の凹部１５は正方形、長方形、円形、半円形、楕円形、ハート形、又は偏菱形の形状をしていてよい。
【００１６】
従って、交換可能パネル３０はそのパターンにもかかわらず、成形ドア外板１０の凹部１５の輪郭に適合する輪郭を有し、交換可能パネル３０は成形ドア外板１０の凹部１５に取り外し可能に取り付けられうる。異なる交換可能パネル３０は異なる色及びデザインを有し異なる材料でできていてよい。
【００１７】
例えば、交換可能パネル３０はガラス繊維樹脂（ＦＲＰ）、ガラス繊維強化石膏（ＧＲＧ）、ガラス繊維強化セメント（ＧＲＣ）、アルミキャスト、ポリウレタン（ＰＵ）発泡体、弾性ガラス繊維（ＥＦＧ）、ガラス、砂岩、又はステンレス鋼でできていて、彫刻された又は描かれたパターンと色を有して様々なデザインを提示してよい。
【００１８】
図１〜図５に示すように、本考案の成形ドア外板１０の別の実施形態では、受容溝１７が成形ドア外板１０の凹部１５の周りに設けられて、装飾効果を提供する１つ以上のバテン５０を受容する。
【００１９】
バテン５０は本体５１と、成形ドア外板１０の受容溝１７に挿入される固定部５２とを有する。従って、交換可能パネル３０を取り付けた後、本考案の成形ドア外板１０に追加の装飾効果を提供するバテン５０を更に取り付けることが出来る。これにより、交換可能パネル３０を囲うバテン５０は本考案の成形ドア外板１０に更に美的価値を加えることが出来る。
【００２０】
また、図５に示すような保護スペーサー４０が、交換可能パネル３０の周縁を保護するために交換可能パネル３０の周縁とバテン５０との間に配置されてもよい。
【符号の説明】
【００２１】
１０  成形ドア外板
１５  凹部
１７  受容溝
３０  交換可能パネル
４０  保護スペーサー
５０  バテン
【図１】
0003173690.tif 000003
【図２】
0003173690.tif 000004
【図３】
0003173690.tif 000005
【図４】
0003173690.tif 000006
【図５】
0003173690.tif 000007